(57)【要約】【課題】  天井裏、床下、壁の隙間などの通線個所に、障害物が複数個存在したり、障害物が入り組んで存在するなど複雑になっている場合にも、障害物を容易に乗り越えたり、避けたりして、その通線個所に簡単に挿入することができる通線牽引具を提供する。【解決手段】  複数本の異径の継管１ａ、１ｂ、１ｃ…からなる伸縮自在杆１の一端に、塑性変形する線材２を取り付けたものとしている。そして、前記伸縮自在杆１と線材２を着脱自在としたり、伸縮自在杆１を縮めたときの長さＬ1 と、線材２の長さＬ2 を略同一にしたものとすることができる。さらに、前記線材２を複数本連結可能にしたものとしたり、線材２の先端に引っ掛け具３を着脱自在として取り付けたものとすることができる。また、前記線材２の表面に保護膜を設けたものとすることができる。【選択図面】    図１【実用新案登録請求の範囲】
【請求項１】
複数本の異径の継管（１ａ、１ｂ  １ｃ…）からなる伸縮自在杆（１）の一端に、塑性変形する線材（２）を取り付けたことを特徴とする通線牽引具。
【請求項２】
前記伸縮自在杆（１）と線材（２）を着脱自在としたことを特徴とする請求項１記載の通線牽引具。
【請求項３】
前記伸縮自在杆（１）を縮めたときの長さ（Ｌ1 ）と、線材（２）の長さ（Ｌ2 ）を略同一としたことを特徴とする請求項２記載の通線牽引具。
【請求項４】
前記線材（２）が複数本連結可能にしたものであることを特徴とする請求項２または３記載の通線牽引具。
【請求項５】
前記線材（２）の先端に引っ掛け具（３）を着脱自在として取り付けたことを特徴とする請求項３または４に記載の通線牽引具。
【請求項６】
前記線材（２）の表面に保護膜を設けたことを特徴とする請求項１から５の何れかに記載の通線牽引具。
【考案の詳細な説明】
【技術分野】
【０００１】
この考案は、天井裏、床下、壁の隙間などに、電線やケーブル等を通線するのに使用される通線牽引具に関するものである。
【背景技術】
【０００２】
従来、この種の通線牽引具としては、例えば図６に示したように、竿状の弾性パイプで柄部１１を構成し、これの先端部に鈎掛部Ａ1 を設けて、この先端に鈎１２を構成し、さらに鈎掛部Ａ1 の基部１３の形状を、柄部１１の延長線に対し１０〜６０度の角度範囲αに曲げているものが存在する（特許文献１）。
【０００３】
前記図６に示した通線牽引具は、天井内などの通線個所に挿入する際、柄部１１を手元で回転させ、図７に示したように、鈎掛部Ａ1 を上向きにすれば、通線個所の空間下部にある凸部１４などの障害物を乗り越えられ、通線個所に容易に挿入することができるようにしている。
【０００４】
さらに、この種の通線牽引具としては、例えば図８に示したように、竿１５の先端に鈎掛部Ａ2 を設けて、この先端に鈎１６を構成し、さらに鈎掛部Ａ2 の基部１７にヒンジ１８を設け、スプリング（図示せず）を介してヒンジ１８の支点を適度の強さに締め付けることにより、鈎掛部Ａ2 を竿１５の延長線に対し、ヒンジ１８を支点として０〜７０度の角度範囲βに調節自在としたものが存在する（特許文献２）。
【０００５】
前記図８に示した通線牽引具は、竿１５の先端の鈎掛部Ａ2 が０〜７０度の任意角度に折り曲げることができるので、天井内などの通線個所に挿入する際、竿１５を手元で回転させ、図９に示したように、鈎掛部Ａ2 を上向きにすれば、通線個所の空間下部にある凸部１９などの障害物を乗り越えられ、通線個所に容易に挿入することができるようにしている。
【特許文献１】実開平７−３６５２２号（第２頁、図３、７）
【特許文献２】特開平８−４７１２９号（第２頁、図２、９）
【考案の開示】
【考案が解決しようとする課題】
【０００６】
しかしながら、上記従来の通線牽引具は、鈎掛部が一方向に曲げられているだけであるので、天井内部などの通線個所に障害物が複数個存在したり、通線個所の空間内部で障害物が入り組んで存在するなど複雑になっている場合には、障害物を乗り越えたり、避けたりして、その通線個所に挿入することができないという問題点を有していた。
【０００７】
そこで、この考案は、上記従来の問題点を解決することをその課題としており、天井裏、床下、壁の隙間などの通線個所に、障害物が複数個存在したり、障害物が入り組んで存在するなど複雑になっている場合にも、障害物を容易に乗り越えたり、避けたりして、その通線個所に簡単に挿入することができる通線牽引具を提供することを目的としてなされたものである。
【課題を解決するための手段】
【０００８】
そのため、この考案の通線牽引具は、複数本の異径の継管１ａ、１ｂ、１ｃ…からなる伸縮自在杆１の一端に、塑性変形する線材２を取り付けたものとしている。
【０００９】
そして、この考案の通線牽引具は、前記伸縮自在杆１と線材２を着脱自在としたり、伸縮自在杆１を縮めたときの長さＬ1 と、線材２の長さＬ2 を略同一にしたものとすることができる。
【００１０】
さらに、この考案の通線牽引具は、前記線材２を複数本連結可能にしたものとしたり、線材２の先端に引っ掛け具３を着脱自在として取り付けたものとすることができる。
【００１１】
また、この考案の通線牽引具は、前記線材２の表面に保護膜を設けたものとすることができる。
【考案の効果】
【００１２】
この考案の通線牽引具は、以上に述べたように構成されているので、天井裏、床下、壁の隙間などの通線個所に、障害物が複数個存在したり、障害物が入り組んで存在するなど複雑になっている場合にも、線材２を任意形状に折り曲げて、障害物を容易に乗り越えたり、避けたりして、その通線個所に簡単に挿入することができる。
【００１３】
さらに、この考案の通線牽引具は、伸縮自在杆１と線材２を着脱自在とし、伸縮自在杆１を縮めたときの長さＬ1 と、線材２の長さＬ2 を略同一にしたものとすれば、伸縮自在杆１と線材２を束ねるなどして嵩低くしておくことができるので、持ち運んだり、保管したりするのに便利なものとなる。
【００１４】
また、この考案の通線牽引具は、線材２を複数本連結可能にしたものとすれば、その連結した線材２を任意形状に折り曲げて、より複雑な通線個所に対応することができ、線材２の先端に連結具３を着脱自在として取り付けたものとすれば、電線やケーブル等の通線の種類に応じて保持し易いものに取り替えることができ、電線やケーブル等の通線中に通線牽引具から外れないものとなる。
【００１５】
さらに、この考案の通線牽引具は、線材２の表面に保護膜を設けたものとすれば、電線やケーブル等を通線する場合に、複雑な通線個所で滑動して通線し易くなり、障害物を乗り越えたり、避けたりするのがより容易になる。
【考案を実施するための最良の形態】
【００１６】
以下、この考案の通線牽引具を実施するための最良の形態を、図面に基づいて詳細に説明する。
【００１７】
この考案の通線牽引具は、図１、２に示したように、複数本の異径の継管１ａ、１ｂ、１ｃ…からなる伸縮自在杆１と塑性変形する線材２とからなり、伸縮自在杆１の一端に線材２を取り付けたものとしている。
【００１８】
前記伸縮自在杆１は、後端部側の継管１ａ内に他の継管１ｂ、１ｃ…のすべてを収納可能にすると共に、この継管１ａの先端側に他の継管１ｂ、１ｃ…を順次テーパ嵌合で連結する構造としている。各継管１ａ、１ｂ、１ｃ…は、略円筒形の合成樹脂製パイプとしており、継管１ａ、１ｂ、１ｃ…の順に太さを細くして行き、継管１ａ内に継管１ｂを収納し、継管１ｂ内に継管１ｃを収納し、継管１ｃ内に継管１ｄを収納するというように、太い継管に細い継管を次々に収納していき、前記したように後端部側の継管１ａ内に他の継管１ｂ、１ｃ…のすべてを収納可能にしている。このようにした伸縮自在杆１は、内側になる継管１ｂ、１ｃ…を次々に引き出して伸ばすと、継管１ａと１ｂ、継管１ｂと１ｃ、…相互が回転することなく強固に連結した状態となる。
【００１９】
前記線材２は、塑性変形する金属線の単線にしてもよいが、図に示したように、塑性変形する金属線の複数本を撚り線にしたものとしてもよい。金属線としては、アルミ線、真鍮線、銅線、鉄線などとすることができ、その断面形状は通常円形としているが、楕円形やその他の形状とすることもできる。線材２の径は、撚り線にした場合を含め１本が約２〜６ｍｍにするのが、自由な形状に簡単に折り曲げることができ、通線時にその形状を維持することができ、しかも元の形状に簡単に戻すことができるものになる。
【００２０】
前記伸縮自在杆１と線材２とは、着脱自在として取り付けるのが好ましく、また伸縮自在杆１を縮めたときの長さＬ1 と、線材２の長さＬ2 を略同一にしたものとするのが好ましい。伸縮自在杆１と線材２を着脱自在として取り付けるには、雄ねじ部４と雌ねじ部５との螺合によるものとしているが、他の構造であってもよい。伸縮自在杆１を縮めたときの長さＬ1 と線材２の長さＬ2 は、約０．３〜１．５ｍにしており、伸縮自在杆１を伸ばしたときの長さは、約５〜１５ｍにしている。
【００２１】
さらに、この考案の通線牽引具は、前記線材２を複数本、着脱自在として連結可能にしたものとしたり、線材２の先端に引っ掛け具３を着脱自在として取り付けたものとすることができる。前記線材２を複数本、着脱自在として連結したり、線材２の先端に引っ掛け具３を着脱自在として取り付けたものとするには、雄ねじ部４と雌ねじ部５との螺合によるものなどとすればよい。前記引っ掛け具３は、図３に示したように、金属線材を鉤状に折り曲げたフック金具にしたり、輪形状にすると共にこの輪を拡縮可能とした調整部材３ａを有した柔軟性線材からなるものにしたりすることができるが、電線やケーブル等の通線を引っ掛けておくことができるものであれば、特にその構造は限定されない。なお、前記線材２の先端には引っ掛け具３を取り付けなくても、線材２の先端を折り曲げて輪形状にしたりして、電線やケーブル等の通線を引っ掛けておくことができる。
【００２２】
また、この考案の通線牽引具は、前記線材２の表面に保護膜を設けたものとすることができる。この保護膜は、合成樹脂膜や塗膜とすることができ、線材２の擦傷を防ぐと共に、線材２を天井裏などの複雑な通線個所で滑動し通線し易くし、線材２を撚り線とした場合には、撚り線の戻りを防止するものになるようにもしている。また、前記保護膜は、線材２が万一、充電部等に触れた際は絶縁効果を発揮する。
【００２３】
以上のように構成したこの考案の通線牽引具を使用して、天井裏などの通線個所に電線やケーブル等を通線するには、次のようにして行う。
【００２４】
先ず、図４に示したように、通線個所に存在する障害物Ｏの大きさを確認して、この障害物Ｏを乗り越えられるような形状、大きさに線材２を折り曲げると共に、障害物Ｏまでの距離を予想して、線材２の先端または引っ掛け具３が障害物Ｏの前に出る程度の長さに、伸縮自在杆１の継管１ａから継管１ｂ、１ｃ…を伸ばして行く。図示した線材２は、略く字状に折り曲げて障害物Ｏを乗り越えられるような形状、大きさに折り曲げているが、障害物Ｏの形状や大きさにより、その障害物Ｏを乗り越え易いように、略Ｓ字状、略Ｌ字状、略Ｊ字状、略Ｕ字状など任意の形状に折り曲げることができる。なお、伸縮自在杆１の継管１ａから継管１ｂ、１ｃ…を伸ばして行くには、図示したように、より内側の継管１ｆから伸ばしていく。
【００２５】
そして、このようにした通線牽引具を手に持って、図４中の仮想線に示したように、障害物Ｏの上に線材２の折り曲げ部を載せ、伸縮自在杆１を１８０度、手元で回転させれば、図４中の実線に示したように、線材２が障害物Ｏを乗り越えて、線材２の先端または引っ掛け具３を障害物Ｏの前に出すことができる。この状態で、線材２の先端または引っ掛け具３に電線やケーブル等の通線Ｌを引っ掛けて、手元に引けば通線することができる。
【００２６】
さらに、図５に示したように、通線個所に複数個の障害物Ｏが存在する場合には、それらの障害物Ｏを避けることができる形状、大きさに線材２を折り曲げると共に、前記と同様に障害物Ｏまでの距離を予想して、線材２の先端または引っ掛け具３が障害物Ｏの前に出る程度の長さに、伸縮自在杆１の継管１ａから継管１ｂ、１ｃ…を伸ばして行く。
【００２７】
そして、このようにした通線牽引具を手に持って、図５に示したように、障害物Ｏと障害物Ｏの間に線材２を通し、これら障害物Ｏを避ければ、線材２の先端または引っ掛け具３を障害物Ｏの前に出すことができる。この状態で、線材２の先端または引っ掛け具３に電線やケーブル等の通線Ｌを引っ掛けて、手元に引けば通線することができる。
【図面の簡単な説明】
【００２８】
【図１】この考案の通線牽引具の一実施形態を示す平面図である。
【図２】この考案の通線牽引具の伸縮自在杆から線材を外した状態の平面図である。
【図３】この考案の通線牽引具の線材の先端に取り付ける引っ掛け具の斜視図である。
【図４】この考案の通線牽引具の一使用状態を示す説明図である。
【図５】この考案の通線牽引具の他の使用状態を示す説明図である。
【図６】従来の通線牽引具の一例を示す要部説明図である。
【図７】図６に示す従来の通線牽引具の一使用状態の説明図である。
【図８】従来の通線牽引具の他の例を示す要部説明図である。
【図９】図８に示す従来の通線牽引具の一使用状態の説明図である。
【符号の説明】
【００２９】
１  伸縮自在杆
１ａ  継管
１ｂ  継管
１ｃ  継管
１ｄ  継管
１ｅ  継管
１ｆ  継管
２  線材
３  引っ掛け具
Ｌ1   伸縮自在杆を縮めたときの長さ
Ｌ2   線材の長さ
【図１】
0003106734.tif 000002
【図２】
0003106734.tif 000003
【図３】
0003106734.tif 000004
【図４】
0003106734.tif 000005
【図５】
0003106734.tif 000006
【図６】
0003106734.tif 000007
【図７】
0003106734.tif 000008
【図８】
0003106734.tif 000009
【図９】
0003106734.tif 000010